(57)【要約】【課題】簡単な構造にて、周囲環境の影響を受けにくく、かつ複数の音源からの音の収音が可能な音響振動検出装置を提供すること。【解決手段】マイクユニット３４と、マイクユニット３４を囲う筐体１２と、を有し、外部の音源からの音の振動を検出して収音する音響振動検出装置１０であって、マイクユニット３４の振動板３４ａの一面と通じるように、筐体１２に設けられた第１の音道開口部２０，２２，２４と、振動板２４ａの一面の裏面と通じるように、筐体１２に設けられた第２の音道開口部２９，３０，３１と、を有し、複数の第１若しくは第２の音道開口部２０，２２，２４，２９，３０，３１の開口面積を変え、若しくは開閉を切り換える音道切換手段３２を設けた。【選択図】図１
2007258969.tif 000002
【特許請求の範囲】
【請求項１】
マイクユニットと、
上記マイクユニットを囲う筐体と、
を有し、
外部の音源からの音の振動を検出して収音する音響振動検出装置であって、
上記マイクユニットの振動板の一面と通じるように、上記筐体に設けられた複数の第１の音道開口部と、
上記振動板の一面の裏面と通じるように、上記筐体に設けられた複数の第２の音道開口部と、
を有し、
上記複数の第１若しくは第２の音道開口部の開口面積を変え、若しくは開閉を切り換える音道切換手段を設けたことを特徴とする音響振動検出装置。
【請求項２】
前記第１の音道開口部の開口側に、前記第１の音道開口部の開口方向の角度を調節する開口角度調節手段を設けたことを特徴とする請求項１記載の音響振動検出装置。
【発明の詳細な説明】
【技術分野】
【０００１】
本発明は、収音してこれを電気信号に変換する音響振動検出装置に関する。
【背景技術】
【０００２】
従来からの指向性を有する振動検出装置では、該振動検出装置において最も感度の高い部分を音源の方向に向けて収音を行うものが存在する（特許文献１を参照）。また、音源の数に応じて複数の振動検出装置を設置するような構成を採用するものも存在する。
【０００３】
特許文献１に開示されているマイクロホン装置８０は、図１３に示すように、指向性を有するマイクロホン８２と、該マクロホン８２を回動可能に支持する支持部材８４と、プラグ８６を有するマイクロホン接続端子８８と、プラグ８６が差し込まれる音声記録再生装置８９と、から主に構成されている。マイクロホン８２は、支持部材８４に設けられた回転中心軸９０を中心として、矢示Ｐ１−Ｐ２方向に水平方向（矢示Ｑ１方向）の位置から垂直上方（矢示Ｑ２方向）の位置までの角度９０度の範囲内で回動する。
【０００４】
【特許文献１】特開２０００−１１５８７５号公報（図３）
【発明の開示】
【発明が解決しようとする課題】
【０００５】
しかしながら、音源の数に応じて複数の振動検出装置を設けた場合、振動検出装置の数が増える。このため、例えば、自動車等の限られた空間内に振動検出装置を設置することが困難となる。また、特許文献１に開示されているマイクロホン装置８０では、複数の方向に配置された音源からの音を経時的に収音する場合、各音源の方向にマクロホン８２を向け直さなければならない。このように、収音中にマイクロホン８２を移動させると、音声データに雑音が入りやすいといった問題がある。また、マイクロホン装置８０を３次元方向からの音に対応できるために、マイクロホン８２を３次元方向へ回動可能となる構成を採用した場合、装置が大掛かりなものになってしまうといった問題もある。
【０００６】
本発明は、かかる問題に鑑みてなされたものであり、その目的とするところは、簡単な構造にて、周囲環境の影響を受けにくく、かつ複数の音源からの音の収音が可能な音響振動検出装置を提供しようとするものである。
【課題を解決するための手段】
【０００７】
上記課題を解決するために、本発明は、マイクユニットと、マイクユニットを囲う筐体と、を有し、外部の音源からの音の振動を検出して収音する音響振動検出装置であって、マイクユニットの振動板の一面と通じるように、筐体に設けられた複数の第１の音道開口部と、振動板の一面の裏面と通じるように、筐体に設けられた複数の第２の音道開口部と、を有し、複数の第１若しくは第２の音道開口部の開口面積を変え、若しくは開閉を切り換える音道切換手段を設けたものである。
【０００８】
また、他の発明は、上述の発明に加えてさらに、第１の音道開口部の開口側に、第１の音道開口部の開口方向の角度を調節する開口角度調節手段を設けたものである。
【発明の効果】
【０００９】
本発明によると、簡単な構造にて、周囲環境の影響を受けにくく、かつ複数の音源からの音の収音が可能となる。
【発明を実施するための最良の形態】
【００１０】
以下、本発明の一実施の形態に係る音響振動検出装置１０について図面を参照しながら説明する。
【００１１】
図１は、本発明の一実施の形態に係る音響振動検出装置１０の概観斜視図である。図２は、この音響振動検出装置１０の側断面図である。また、以下の説明において、図１〜図８に示す矢示Ｘ１方向を前方、矢示Ｘ２方向を後方、矢示Ｙ１方向を左側、矢示Ｙ２方向を右側、矢示Ｚ１方向を上方および矢示Ｚ２方向を下方とそれぞれ規定する。
【００１２】
音響振動検出装置１０の筺体１２は、図１に示すように、上カバー１４と、下カバー１６とから構成される略直方体の形状を有している。上カバー１４は、平板状の上蓋１７と、上蓋１７の下方に配置される下側基台１８とから構成されている。
【００１３】
図１に示すように、上カバー１４の前方側には、３つの第１の音道開口部となる中央音道開口部２０、左音道開口部２２および右音道開口部２４が設けられている。中央音道開口部２０は、上カバー１４から前方に向かって開口している。左音道開口部２２は、上カバー１４から左斜め前方に向かって開口している。また、右音道開口部２４は、上カバー１４から右斜め前方に向かって開口している。各音道開口部２０，２２，２４の開口端である中央開口端２５，左開口端２６および右開口端２７は、それぞれ斜め上方に向かうテーパ形状を有している。なお、中央開口端２５は、上方中央開口端２５ａ、左中央開口端２５ｂおよび右中央開口端２５ｃを有する。また、左開口端２６は、上方左開口端２６ａ、左方左開口端２６ｂおよび右方左開口端２６ｃを有する。また、右開口端２７は、上方右開口端２７ａ、左方右開口端２７ｂおよび右方右開口端２７ｃを有する。
【００１４】
中央音道開口部２０の直下には、第２の音道開口部である前方検出開口部２９が設けられている。さらに、上カバー１４の左右両側の面における前方側には、第２の音道開口部である前側方検出開口部３０，３０が設けられている。また、上カバー１４の左右両側の面における後方側には、第２の音道開口部である後側方検出開口部３１，３１が設けられている。さらに、上カバー１４の略中央部上方には、後述する音道切換手段の一例である音道切換ツマミ３２が配置されている。
【００１５】
また、上蓋１７は、その前方の左右両側が、左斜め後方および右斜め後方に向かって切り欠かれている。このため、上蓋１７の前方には、中央および左右両側に３つの端面が形成されている。これら中央、左側および右側に形成されている端面は、それぞれ上述した上方中央開口端２５ａ、上方左開口端２６ａおよび上方右開口端２７ａに相当する。また、上蓋１７の略中央部には、断面円形状の円孔４４が形成されている。
【００１６】
図２に示すように、筺体１２の内部には、マイクユニット３４が組み込まれている。マイクユニット３４は、振動板３４ａを備えており、振動板３４ａの上下両面に伝わる音の振動を検出して、これを電気信号に変換している。
【００１７】
マイクユニット３４は、図２に示すように、その周囲をゴム等の弾性材料３５で覆われた状態で筺体１２に組み込まれており、下方の電子回路基板３６に電気的に接続されている。電子回路基板３６とこれと接続されている電気配線３７との間には、筺体１２に電気配線３７の根元を固定するためのゴムパッキン３８が備えられている。ゴムパッキン３８は、上カバー１４と下カバー１６とを合わせた状態にて、ゴムパッキン固定孔３９に保持される。また、図２に示すように、上カバー１４におけるマイクユニット３４の上方には、平板状の平板部４０が形成されている。該平板部４０には、マイクユニット３４に連通する孔４１が設けられている。また、上カバー１４においてマイクユニット３４が配置される部分の前方には、平板状の底面部４２が形成されている。底面部４２は、平板部４０よりやや下方に形成されている。平面部４０の上面４０ａと底面部４２の上面４２ａとの間には、テーパ４３が形成されている。
【００１８】
図３は、音響振動検出装置１０から上蓋１７および音道切換ツマミ３２を外した状態の平面図である。
【００１９】
図３に示すように、下側基台１８は、左右両側および後方に設けられた平板状の左側壁４５と、右側壁４６と、後方壁４７を有する。また、下側基台１８の略中央には、略円周形状を有する円周壁４８が設けられている。円周壁４８は、平板部４０の外縁から上方に向かって立設されている。円周壁４８の後方側は、扇状をなすように後方に突出した扇壁部４９となっている。また、扇壁部４９は、円周壁４８から左斜め後方に突出する左扇壁４９ａと円周壁４８から右斜め後方に突出する右扇壁４９ｂと、左扇壁４９ａおよび右扇壁４９ｂのそれぞれの端部を略円周状に結ぶ中央扇壁４９ｃとから形成されている。
【００２０】
また、円周壁４８の前面側における左右両側からは、それぞれ左方向および右方向に向かって左塞壁５０および右塞壁５１が延出している。左塞壁５０の端部は、左側壁４５の端部と結合している。この両端部の結合部分の端面は、左方左開口端２６ｂに相当する。また、右塞壁５１の端部は、右側壁４６の端部と結合している。この両端部の結合部分の端面は、右方右開口端２７ｃに相当する。また、円周壁４８の前面側からは、２つの左前方壁５２および右前方壁５３がそれぞれ前方に向かって延出している。左前方壁５２および右前方壁５３のそれぞれは、左右に並行するように設けられている。左前方壁５２の端面は、中央左開口端２５ｂおよび左方右開口端２６ｃとなっている。また、右前方壁５３の端面は、中央右開口端２５ｃおよび右方左開口端２６ｂとなっている。
【００２１】
下側基台１８における平板部４０および円周壁４８に囲まれた開口部は円柱状を有する円柱開口部５５となっている。円周壁４８において左塞壁５０が延出する部分と左前方壁５２が延出する部分との間には円柱開口部５５に通じる左方孔５７が設けられている。また、円周壁４８において右塞壁５１が延出する部分と右前方壁５３が延出する部分との間には円柱開口部５５に通じる右方孔５８が設けられている。さらに、円周壁４８において左前方壁５２が延出する部分と右前方壁５３が延出する部分との間には円柱開口部５５に通じる中央孔５９が設けられている。そのため、上カバー１４では、中央音道開後部２０は、中央孔５９を介して円柱開口部５５に連通している。また、左音道開口部２２および右音道開口部２４のそれぞれは、左方孔５７および右方孔５８のそれぞれを介して、円柱開口部５５に連通している。
【００２２】
図４は、音道切換ツマミ３２の構成を示す図であり、（ａ）は、その斜視図であり、（ｂ）は、（ａ）におけるＡ−Ａ線で切断した断面を示す図であり、（ｃ）は、（ａ）における音道切換ツマミ３２を矢示Ｂ方向から見た図である。
【００２３】
音道切換ツマミ３２は、図４（ａ）に示すように、略円柱形状を有する円柱部３２ａと、円柱部３２ａの上面３２ｂから上方に向かって突出する略直方体の形状を有する取手部３２ｃと、から主に構成されている。取手部３２ｃの長手方向の大きさは、円柱部３２ａの直径の大きさとほぼ同じ大きさである。また、円柱部３２ａには、その下面３２ｄから上方に向かう所定の間隔をもって、該円柱部３２ａの側面から取手部３２ｃの長手方向に向かってくり抜かれた音道部３２ｅが形成されている。また、円柱部３２ａには、その外周面後方から後方に向かって突出する突起部３２ｆが設けられている。
【００２４】
図５は、音響振動検出装置１０から上蓋１７を外した状態の平面図である。
【００２５】
図５に示すように、円柱開口部５５には、音道切換ツマミ３２が配置されている。図５では、音道切換ツマミ３２は、音道部３２ｅが中央音道開口部２０と連通するように配置されている。この状態では、突起部３２ｆは、扇壁部４９内において後方側に突出している。この場合、音源から中央音道開口部２０に入った音は、中央孔５９および音道部３２ｅを経て、孔４１からマイクユニット３４の振動板３４ａの一面に到達する。一方、左方孔５７および右方孔５８は、音道切換ツマミ３２によって塞がれている。そのため、左音道開口部２２および右音道開口部２４に入った音は、音道切換ツマミ３２によって遮断され、マイクユニット３４に伝わらない。
【００２６】
図５の状態から、取手部３２ｃを、図５における矢示Ｃ方向に回転させると、突起部３２ｆは矢示Ｃ方向へ移動し、右扇壁４９ｂに当接する。この状態では、音道部３２ｅの開口部が、左方孔５７の位置と一致している。このため、左音道開口部２２に入った音は、左方孔５７および音道部３２ｅを経て、孔４１からマイクユニット３４の振動板３４ａの一面に到達する。一方、取手部３２ｃを、図５における矢示Ｄ方向に回転させると、突起部３２ｆは矢示Ｄ方向へ移動し、左扇壁４９ａに当接する。この状態では、音道部３２ｅの開口部が、右方孔５８の位置と一致している。このため、右音道開口部２４に入った音は、右方孔５８および音道部３２ｅを経て、孔４１からマイクユニット３４に振動板３４ａの一面に到達する。このように音道切換ツマミ３２の突起部３２ｆを左扇壁４９ａおよび右扇壁４９ｂに当接させてその回転範囲を規制することで、中央音道開口部２０、左音道開口部２２または右音道開口部２４に入った音を音道切換ツマミ３２の音道部３２ｅからマイクユニット３４へと導くことができる。
【００２７】
図１に示す前方検出開口部２９、前側方検出開口部３０，３０および後側方検出開口部３１，３１は、筺体１２の内部を通って、マイクユニット３４の振動板３４ａの一面と反対の面（裏面）に繋がっている。
【００２８】
次に、各開口部２０，２２，２４，２９，３０，３１から振動板３４ａに音を伝える経路について説明する。図６は、上カバー１４を下カバー１６から外して裏返した状態を示す図である。
【００２９】
図６に示すように、上カバー１４の裏面には、マイクユニット固定孔６０が設けられている。マイクユニット３４は、弾性材料３５に覆われた状態のままマイクユニット固定孔６０に嵌め込まれる。組立の際には、マイクユニット３４を上カバー１４に設けられたマイクユニット固定孔６０に嵌め込んだ状態で、電子回路基板３６を被せてマイクユニット３４と電気的に接続させ、下カバー１６を上カバー１４と合体させる。
【００３０】
図６に示すように、マイクユニット３４の内部には、振動板３４ａが備えられている。また、マイクユニット３４の左右両側面には、振動板３４ａの一面に連通する孔３４ｂ，３４ｂが設けられている。弾性材料３５は、これらの孔３４ｂ，３４ｂが外に露出するような形態である。
【００３１】
マイクユニット固定孔６０の左右両側の仕切板には、マイクユニット固定孔６０において平板部４０側にへこむ凹部６１，６１が設けられている。また、マイクユニット固定孔６０の前方側および後方側の仕切板には、平板部４０側に向かって切り欠かれた凹部６２および凹部６３がそれぞれ設けられている。
【００３２】
マイクユニット３４をマイクユニット固定孔６０に嵌め込んだ状態において、振動板３４ａの片側の面（上カバー１４の上側の面）は、孔４１に対向している。また、孔３４ｂ，３４ｂは、凹部６１，６１と一致した状態となる。マイクユニット３４の後方には、凸部６４が設けられている。凸部６４は、マイクユニット固定孔６０に設けられた凹部６３に隙間無く嵌め込まれる。マイクユニット３４をマイクユニット固定孔６０に嵌め込んだ状態において、凹部６１，６１は、凹部６１，６１のそれぞれと上カバー１４の左側壁４５および右側壁４６のそれぞれとの隙間から、前方検出開口部２９、前側方検出開口部３０，３０および後側方検出開口部３１，３１と連通している。凹部６１，６１は、中央音道開口部２０、左音道開口部２２および右音道開口部２４とは連通していない。
【００３３】
上述したように、中央音道開口部２０，左音道開口部２２および右音道開口部２４からの音は、音道切換ツマミ３２の音道部３２ｅおよび孔４１を経て、振動板３４の一面（上カバー１４の上側の面）に伝わる（図６中の経路Ａ）。一方、前方検出開口部２９、前側方検出開口部３０，３０および後側方検出開口部３１，３１からの音は、共に、凹部６１および孔４１を経て、振動板３４ａの一面の裏面（上カバー１４の下側の面）に伝わる（図６中の経路Ｂ）。
【００３４】
このように、マイクユニット３４内の振動板３４ａの一面（上カバー１４の上側の面）に通じる第１の音道開口部を中央音道開口部２０、左音道開口部２２および右音道開口部２４とし、同振動板３４ａの裏面（上カバー１４の下側の面）に通じる第２の音道開口部を前方検出開口部２９、前側方検出開口部３０，３０および後側方検出開口部３１，３１とすることによって、低音域から高音域まで指向性の鋭い狭指向性を持った音響振動検出装置を実現できる。
【００３５】
図７は、中央音道開口部２０、左音道開口部２２および右音道開口部２４のそれぞれの抑角αを１０度とした場合の音響振動検出装置１０の側断面図である。図８は、中央音道開口部２０、左音道開口部２２および右音道開口部２４のそれぞれの抑角αを６０度とした場合の音響振動検出装置１０の側断面図である。図９は、図７に示す音響振動検出装置１０の前後方向の法面の上半分の面における垂直方位感度特性を示す図である。図１０は、図８に示す音響振動検出装置１０の前後方向の法面の上半分の面における垂直方位感度特性を示す図である。
【００３６】
図７に示すように、中央音道開口部２０の抑角を１０度とした場合（左音道開口部２２および右音道開口部２４の抑角もそれぞれ１０度とする。）、図９に示すように、前方および後方の感度が最も高くなることがわかる。また、図８に示すように、中央音道開口部２０の抑角を６０度とした場合（左音道開口部２２および右音道開口部２４の抑角もそれぞれ６０度とする。）、図１０に示すように、感度は、全体的に後方側に比べて前方側の方が高くなることがわかる。また、前方から約５０度上方に向く方向の感度が最も高くなることがわかる。
【００３７】
図９および図１０に示される垂直方位感度特性から、抑角αの大きさを大きくすると、全体的な感度の大きさは、後方側から前方側にシフトすることがわかる。また、前方および後方の両方向から抑角α方向付近の指向性が最も鋭くなることがわかる。
【００３８】
また、図１１に示すように、中央音道開口部２０、左音道開口部２２および右音道開口部２４のそれぞれの開口端２５，２６，２７に、各開口部２０，２２，２４の開口方向の角度を調節するための開口角度調整手段の一例である開口角度調整ボール７０を装着するようにしても良い。このような構成を採用することで、各開口部２０，２２，２４の開口方向の角度を三次元的に無段階に調整することが可能となる。ただし、各開口部２０，２２，２４の開口方向の角度を段階的に変えることができる開口角度調整手段を採用しても良い。また、各開口部２０，２２，２４内に開口角度調整手段として、ブラインド形状の複数枚のプレートを設け、当該プレートの角度を変えても良い。
【００３９】
以上のように構成された音響振動検出装置１０は、異なる方向に向かって開口した中央音道開口部２０、左音道開口部２２および右音道開口部２４の合計３つの第１の音道開口部を有する。したがって、音響振動検出装置１０は、複数の位置に配置された音源からの音にも対応できることになる。そのため、各開口部２０，２２，２４のうち音源に対して最も高い感度特性を有する第１の音道開口部から音を収音することができる。その結果、音響振動検出装置１０は、複数の音源からの音に対して、鋭い指向性を有することとなる。また、中央音道開口部２０、左音道開口部２２および右音道開口部２４を設けることにより、複数の音源からの音を収音できる構成としている。このため、簡単な構造にて、複数の音源からの音を収音することが可能となる。
【００４０】
また、音響振動検出装置１０には、音道切換ツマミ３２が設けられている。このため、該音道切換ツマミ３２を切り換えることにより、収音方向を各開口部２０，２２，２４の方向に設定することができる。したがって、各開口部２０，２２，２４のうち最も音源に近い方向を向いている第１の音道開口部を開口させることができる。その結果、複数の位置に音源が配置された場合、各音源からの音を、高い感度を持って経時的に収音することが可能となる。
【００４１】
また、音響振動検出装置１０において、各開口部２０，２２，２４の抑角αの大きさ変えることにより、全体的な感度特性を、前後方側に向かってシフトさせることができる。また、各開口部２０，２２，２４の抑角αの大きさ変えることにより、高さ方向における指向性の鋭さを調節することが可能である。
【００４２】
以上、本発明の一実施の形態について説明したが、本発明は上述の形態に限定されることなく、種々変形した形態にて実施可能である。
【００４３】
上述の実施の形態では、音響振動検出装置１０の前方には、中央音道開口部２０、左音道開口部２２および右音道開口部２４の合計３つの第１の音道開口部が設けられているが、これらに限定されることなく、第１の音道開口部を４つ以上あるいは２つだけ設けても良い。例えば、第１の音道開口部を筐体１２の左右両側面に設けるようにしても良いし、後方側の面に設けるようにしても良い。また、中央音道開口部２０、左音道開口部２２および右音道開口部２４の抑角αの大きさを、音源の位置に応じて、それぞれ異なる角度とするようにしても良い。
【００４４】
また、筐体１２には、前方検出開口部２９、前側方検出開口部３０，３０および後側方検出開口部３１，３１の合計５つの第２の音道開口部が設けられているが、これに限定されることなく、第２の音道開口部の数を６つ以上あるいは４つ以下としても良い。例えば、第２の音道開口部を筐体１２の後方側に設けるようにしても良いし、上蓋１７に設けるようにしても良い。
【００４５】
また、音道切換ツマミ３２に形成されている音道部３２ｅを複数設けること、または音道部３２ｅの幅を大きく若しくは小さく調節することによって、中央音道開口部２０、左音道開口部２２および右音道開口部２４のうちのいずれか２つまたは全部を同時に開口できる構成としても良い。また、前方検出開口部２９、前側方検出開口部３０，３０および後側方検出開口部３１，３１のうち１つまたは複数を開閉できるようにしても良い。また、中央音道開口部２０、左音道開口部２２、右音道開口部２４、前方検出開口部２９、前側方検出開口部３０，３０および後側方検出開口部３１，３１のそれぞれの開口部を部分的に開口できる構成としても良い。
【００４６】
また、図１２に示すように、音道切換ツマミ３２に替えて、筐体１２の上方にソレノイドもしくはモータおよび歯車等を用いた電気的に制御が可能な自動音道切換装置７２を、音道切換手段として設けるようにしても良い。また、自動音道切換装置７２を、リモコンにより遠隔操作が可能なものとしても良い。また、音道切換ツマミ３２に替えて、ボタンを押圧することにより各音道開口部２０，２２，２４の開閉を行うことが可能な、押しボタン式の音道切換手段を設けるようにしても良い。
【産業上の利用可能性】
【００４７】
本発明の音響振動検出装置は、指向性に優れたマイクロホンにおいて利用することができる。
【図面の簡単な説明】
【００４８】
【図１】本発明の一実施の形態に係る音響振動検出装置の概観斜視図である。
【図２】本発明の一実施の形態に係る音響振動検出装置の側断面図である。
【図３】本発明の一実施の形態に係る音響振動検出装置から上蓋および音道切換手段である音道切換ツマミを外した状態の平面図である。
【図４】図１中の音道切換ツマミの構成を示す図であり、（ａ）は、その斜視図であり、（ｂ）は、（ａ）におけるＡ−Ａ線で切断した断面を示す図であり、（ｃ）は、（ａ）における音道切換ツマミを矢示Ｂ方向から見た図である。
【図５】本発明の一実施の形態に係る音響振動検出装置から上蓋を外した状態の平面図である。
【図６】図１中の上カバーを下カバーから外して裏返した状態を示す図である。
【図７】図１中の中央音道開口部、左音道開口部および右音道開口部のそれぞれの抑角αを１０度とした場合の音響振動検出装置の側断面図である。
【図８】図１中の中央音道開口部、左音道開口部および右音道開口部のそれぞれの抑角αを６０度とした場合の音響振動検出装置の側断面図である。
【図９】図１中の中央音道開口部、左音道開口部および右音道開口部のそれぞれの抑角αを１０度とした場合の音響振動検出装置の前後方向の法面の上半分の面における垂直方位感度特性を示す図である。
【図１０】図１中の中央音道開口部、左音道開口部および右音道開口部のそれぞれの抑角αを６０度とした場合の音響振動検出装置の前後方向の法面の上半分の面における垂直方位感度特性を示す図である。
【図１１】本発明の音響振動検出装置の変形例を示す図である。
【図１２】本発明の音響振動検出装置の変形例を示す図である。
【図１３】従来の音響振動検出装置の構成を示す図である。
【符号の説明】
【００４９】
１０…音響振動検出装置
１２…筐体
２０…中央音道開口部（第１の音道開口部の一部）
２２…左音道開口部（第１の音道開口部の一部）
２４…右音道開口部（第１の音道開口部の一部）
２９…前方検出開口部（第２の音道開口部の一部）
３０…前側方検出開口部（第２の音道開口部の一部）
３１…後側方検出開口部（第２の音道開口部の一部）
３２…音道切換ツマミ（音道切換手段の一例）
３４…マイクユニット
３４ａ…振動板
７０…開口角度調整ボール（開口角度調整手段の一例）
７２…自動音道切換装置（音道切換手段の一例）
【図１】
2007258969.tif 000003
【図２】
2007258969.tif 000004
【図３】
2007258969.tif 000005
【図４】
2007258969.tif 000006
【図５】
2007258969.tif 000007
【図６】
2007258969.tif 000008
【図７】
2007258969.tif 000009
【図８】
2007258969.tif 000010
【図９】
2007258969.tif 000011
【図１０】
2007258969.tif 000012
【図１１】
2007258969.tif 000013
【図１２】
2007258969.tif 000014
【図１３】
2007258969.tif 000015